(57)【特許請求の範囲】
【請求項１】
分包装置本体の下台に対して上カバーが第一横軸回りに開閉回動自在に設けられ、電子機器からなる入力装置が前記上カバーに取付手段を介して取付けられ、該取付手段は入力装置が載置される載置台を有し、該載置台は前記第一横軸と平行な別の第二横軸回りに支持されて上カバーの上面とほぼ平行となった入力装置使用姿勢と、入力装置使用姿勢から第二横軸回りに回動した入力装置非使用姿勢との間で切替自在に構成され、
前記上カバーを閉姿勢とし載置台を入力装置非使用姿勢から入力装置使用姿勢に切替えた際に、載置台の下面と上カバーの上面との間に載置台の撓みを許容する隙間が設けられるよう構成されていることを特徴とする薬剤分包装置。
【請求項２】
隙間に、上カバーを閉姿勢とし載置台を入力装置非使用姿勢から入力装置使用姿勢に切替えた際に載置台の撓み量を抑制する緩衝部材が設けられていることを特徴とする請求項１記載の薬剤分包装置。
【請求項３】
取付手段に、分包装置本体の背板に取付けられる取付部が設けられ、載置台は取付部に第二横軸を介して連結されたアーム部の先端から、該アーム部に対してほぼ直交する方向に一体的に設けられていることを特徴とする請求項１または請求項２記載の薬剤分包装置。
【発明の詳細な説明】
【技術分野】
【０００１】
本発明は、分包装置本体に支軸回りに開閉自在な上カバーを有し、該上カバーにパーソナルコンピュータ等の入力装置を載置して使用するようにした薬剤分包装置に関し、特に、入力装置を保護するための緩衝構造に関する。
【背景技術】
【０００２】
従来の薬剤分包装置には、パーソナルコンピュータ等の電子機器による入力装置を備えたものがある（例えば、下記特許文献１参照）。
この入力装置は、分包装置本体の下台対して開閉自在に設けられた上カバーの上面に載置するよう設けられており、作業者は入力装置を操作して薬剤分包装置の動作を操作する。
【０００３】
【特許文献１】特開２００６−１１０３８６号公報
【発明の開示】
【発明が解決しようとする課題】
【０００４】
上記のように入力装置を本体の上カバーの上面に設けた薬剤分包装置においては、薬剤（散薬）が分包装置本体内に飛散したら掃除を行うなど、メンテナンスのために上カバーは開閉される。そして、入力装置は上カバーの上面に設置されているから、上カバーの開閉とともに入力装置も一緒に上下することになり、上カバーを閉めたときはその衝撃が入力装置に伝わる。
しかしながら、上記従来の薬剤分包機では、入力装置に対する衝撃を緩衝する手段が設けられていないから、大きな衝撃を受けると電子機器としての入力装置が破損し易いといった不都合が考えられる。
【０００５】
そこで本発明は、上記課題に鑑み、入力装置を上カバーに設置して使用する薬剤分包装置において、その入力装置の電子機器の破損を抑制し得る薬剤分包装置の提供を目的とする。
【課題を解決するための手段】
【０００６】
本発明の薬剤分包装置は、分包装置本体の下台に対して上カバーが第一横軸回りに開閉回動自在に設けられ、電子機器からなる入力装置が前記上カバーに取付手段を介して取付けられ、該取付手段は入力装置が載置される載置台を有し、該載置台は前記第一横軸と平行な別の第二横軸回りに支持されて上カバーの上面とほぼ平行となった入力装置使用姿勢と、入力装置使用姿勢から第二横軸回りに回動した入力装置非使用姿勢との間で切替自在に構成され、前記上カバーを閉姿勢とし載置台を入力装置非使用姿勢から入力装置使用姿勢に切替えた際に、載置台の下面と上カバーの上面との間に載置台の撓みを許容する隙間が設けられるよう構成されていることを特徴としている。
【０００７】
上記構成において、上カバーを第一横軸回りに回動して開姿勢から閉姿勢とし、第二横軸回りに取付手段を回動して載置台を入力装置非使用姿勢から入力装置使用姿勢とすると、載置台に載置された入力装置の重さによって載置台が隙間内で撓み、これによって載置台を入力装置使用姿勢とした際の入力装置に対する衝撃を緩衝し、入力装置の電子機器を保護する。
【０００８】
本発明の薬剤分包装置では、隙間に、上カバーを閉姿勢とし載置台を入力装置非使用姿勢から入力装置使用姿勢に切替えた際に載置台の撓み量を抑制する緩衝部材が設けられていることを特徴としている。
【０００９】
上記構成において、上カバーを閉姿勢とし載置台を入力装置非使用姿勢から入力装置使用姿勢に切替えた際に、緩衝部材によって載置台の撓み量が抑制されるが、緩衝部材により入力装置への衝撃を緩衝して入力装置の電子機器を保護する。
【００１０】
本発明の薬剤分包装置では、取付手段に、分包装置本体の背板に取付けられる取付部が設けられ、載置台は取付部に第二横軸を介して連結されたアーム部の先端から、該アーム部に対してほぼ直交する方向に一体的に設けられていることを特徴としている。
【００１１】
上記構成において、載置台は取付部によって分包装置本体に確実に支持されて、第二横軸回りに回動することで入力装置使用姿勢と入力装置非使用姿勢との間で切替えられる。
【発明の効果】
【００１２】
本発明の薬剤分包機によれば、上カバーを第一横軸回りに回動して開姿勢から閉姿勢とし、第二横軸回りに取付手段を回動して載置台を入力装置非使用姿勢から入力装置使用姿勢としたとき、載置台に載置された入力装置の重さによって撓む載置台の、その撓み量を許容する隙間を設けているから、載置台を入力装置使用姿勢とした際の入力装置に対する衝撃を緩衝して、入力装置の電子機器を保護することができる。
【発明を実施するための最良の形態】
【００１３】
以下、本発明の実施形態に係る薬剤分包機を、図面に基づいて説明する。図１および図２は本発明の実施形態を示す薬剤分包装置の要部を示す概略図、図３および図４は要部の詳細を示す斜視図である。
【００１４】
この実施形態に係る薬剤分包装置は、フィーダ等からなる薬剤供給部と、該薬剤供給部から回転テーブル等からなる切出部と、切出部から所定量ずつ切出された薬剤を受け容れるホッパーと、ホッパーの下部で給紙方向上流側から給紙方向下流側へ移動する分包紙を、ホッパーから薬剤が投入された後に一包となるようヒートシールするシール装置と、分包紙に患者の情報を印刷（印字）する印字装置とを有する。
【００１５】
これらの機械装置は分包装置本体１に内装され、図１および図２に示すように、分包装置本体１は、下台２と上カバー３とを有し、上カバー３はその背部に設けられた第一横軸４を介して下台２に取付けられ、上カバー３は第一横軸４回りに下台２に対して上下に開閉回動自在に設けられて、開姿勢Ｃと閉姿勢Ｄとの間で切替自在に構成されている。
【００１６】
前記印字装置に患者情報を出力するための入力装置として、電子機器からなるパーソナルコンピュータ５（ノート型パソコン）が用いられ、パーソナルコンピュータ５が取付手段を介して分包装置本体１に取付けられている。パーソナルコンピュータ５には、予め患者情報が記憶されている。
取付手段は、分包装置本体１の背板６の上部に取付けられる取付部７と、この取付部７に第一横軸４とは別で第一横軸４と平行な第二横軸部材８（第二横軸に相当する）を介して回動自在に取付けられた板状の載置台１０とを有する。第二横軸部材８として、それ自体で回動範囲を規制できる構成を有するストッパー蝶番が用いられている。
【００１７】
パーソナルコンピュータ５は、載置台１０に保持体１１を介して載置保持されている。図３および図４に示すように、この保持体１１においてパーソナルコンピュータ５を載置する載置面１１Ａは平板状に形成されており、保持体１１の中央部分の載置台１０への取付面１１Ｂは、載置面１１Ａに比べて下段にあって、この構成により、保持体１１はパーソナルコンピュータ５の放熱空間１１Ｃを形成している。取付面１１Ｂがビス１９によって載置台１０に着脱自在に取付けられている。
【００１８】
保持体１１にはパーソナルコンピュータ５が保持体本体１５から外れるのを防止するステー部材１２が設けられている。
ステー部材１２は、パーソナルコンピュータ５の本体５Ａの側部上面を係止する係止部１２ａと保持体本体１５の側部に立上るように、且つネジ止め等の固定手段により固定された本体部１２ｂとから断面略Ｌ字形に形成されている。このようなステー部材１２は、保持体１１の左右側部に複数箇所設けられている。
【００１９】
パーソナルコンピュータ５は、載置面１１Ａを滑らすようにしてこれに載置することで、係止部１２ａが本体５Ａの側部上面に接するように位置して、載置台１０を後述の入力装置非使用姿勢Ｂとしてもパーソナルコンピュータ５が保持体１１から脱落しないよう構成されている。
また、保持体本体１５の前面中央部には、載置台１０を第二横軸部材８回りに回動させる際に把持するための把手９が設けられている。
【００２０】
載置台１０は、取付部７に第二横軸部材８を介して連結された板状のアーム部１３の先端から、アーム部１３に対してほぼ直交する方向に一体的に設けられている。
載置台１０は、第二横軸回り回動自在構成されることで、上カバー３の上面１４とほぼ平行となった入力装置使用姿勢Ａと、入力装置使用姿勢Ａから第二横軸部材８回りに回動した入力装置非使用姿勢Ｂとの間で切替自在となっている。第二横軸部材８であるストッパー蝶番では、載置台１０の回動範囲を規制して、特に、載置台１０が垂直方向からやや後方に傾斜した入力装置非使用姿勢Ｂを保持する。
【００２１】
上カバー３を閉姿勢Ｄとし、載置台１０を入力装置非使用姿勢Ｂから入力装置使用姿勢Ａに切替えた際に、載置台１０の下面１６と上カバー３の上面１４との間に載置台１０の撓みを許容する隙間１７が設けられるよう構成されている。
【００２２】
隙間１７に、上カバー３を閉姿勢Ｄとし載置台１０を入力装置非使用姿勢Ｂから入力装置使用姿勢Ａに切替えた際に載置台１０の撓み量を抑制する緩衝部材１８が、載置台１０の裏面に固着されることで設けられている。この場合、緩衝部材１８は円柱状に形成されており、載置台１０の裏面前部に左右に離間して配置されている。
【００２３】
取付部７は、分包装置本体１の背板６に対してその後方に配置される垂下板部２０と、垂下板部２０に対して前方に位置して背板６に当接して取付けられる、複数箇所の当接板部２１とを有する。各当接板部２１は、垂下板部２０から前方向けて一体的に折曲するよう形成された連設板部２２の前端部に、背板６に平行になるよう折曲して形成されている。
【００２４】
上側の当接板部２１は連設板部２２から内方に向けて折曲され、下側の当接板部２１は連設板部２２から下方に向けて折曲されている。上側の当接板部２１は、縦長の長方形形状に形成されて垂下板部２０に左右端部に一対で設けられ、下側の当接板部２１は横長の長方形形状に形成されて垂下板部２０の下端部に設けられている。
【００２５】
下側の当接板部２１の下端辺部には、半円状の切欠２１ａが形成されている。この切欠２１ａは、垂下板部２０を背板６に取付ける際に、予め背板６に取付けておいたビス等に挿入される部分であり、これによって取付部７を背板６の所定位置に容易に保持させることが可能になる。
上側の当接板部２１は連設板部２２から内方に向けて折曲されることで、パーソナルコンピュータ５への配線を挿通配置する配置路を形成している。
【００２６】
第二横軸部材８であるストッパー蝶番の一方の羽根２３がアーム部１３の背面に固定され、他方の羽根２４が垂下板部２０の背面に固定されている。このような第二横軸部材８は、左右一対で設けられている。
【００２７】
上記構成において、上カバー３を閉姿勢Ｄとし、載置台１０を入力装置使用姿勢Ａとして、パーソナルコンピュータ５に予め記憶されている患者情報（薬剤の種類、薬剤の一包量等）を、パーソナルコンピュータ５を操作して印字装置に出力すると、印字装置は分包紙にその情報を印字する。
【００２８】
分包装置本体１内のメンテナンスや清掃のためには、上カバー３を第一横軸４回りに回動して閉姿勢Ｄから開姿勢Ｃとする。このとき、入力装置使用姿勢Ａにある載置台１０は、上カバー３の回動とともに、第一横軸４とは別の第二横軸部材８回りに回動して入力装置非使用姿勢Ｂとなる。入力装置非使用姿勢Ｂは、第二横軸部材８自体のストッパー機能により保持される。このように上カバー３とともに載置台１０を回動させる際には、これらの回動中心は異なるから、緩衝部材１８が上カバー３の上面を摺動することになる。したがって、上カバー３には、緩衝部材１８が摺動可能となるように、これを邪魔する部分は設けないでおく必要がある。
例えば、上カバー３の上面１４に凹部２９を形成して、緩衝部材１８が凹部２９の上面に載置されるように構成される場合でも、凹部２９を形成する前縦壁２９ａの位置は、前記摺動動作に支障のない位置としておく。
また、上カバー３の回動とは別に、上カバー３の回動に先んじて第二横軸部材８回りに載置台１０を回動して入力装置非使用姿勢Ｂとし、その後、上カバー３を第一横軸４回りに回動して開姿勢Ｃとするよう使用することもできる。この場合、使用者は把手９を把持して載置台１０の回動操作を行うことが好ましい。
【００２９】
メンテナンス等が終了すれば、上カバー３を第一横軸４回りに回動して開姿勢Ｃから閉姿勢Ｄにする。また載置台１０を第二横軸部材８回りに回動して入力装置非使用姿勢Ｂから入力装置使用姿勢Ａに切替える。入力装置使用姿勢Ａとすると、緩衝部材１８が上カバー３の上面１４に上方から当接するが、このとき、いわゆる手が滑る等して使用者の手から把手９が滑り、載置台１０を入力装置使用姿勢Ａに切替える途中で、載置台１０が落下するようにして入力装置使用姿勢Ａとなってしまうことが考えられる。
【００３０】
しかしながら、載置台１０の裏面には緩衝部材１８が設けられているから、緩衝部材１８によってパーソナルコンピュータ５に対する衝撃が緩衝され、パーソナルコンピュータ５の電子部品の損傷を効果的に防止することができる。さらに、載置台１０は垂下板部２０によって上カバー３の上面１４に隙間１７が存在するよう配置される構造であるから、載置台１０が直接的に上面１４に接触することがない。また、衝撃によって載置台１０が撓んでも、その撓みは隙間１７によって許容（吸収）されるから、パーソナルコンピュータ５の電子部品の損傷をいっそう確実に防止することができる。
【００３１】
本発明は上記実施形態に限定されるものではない。例えば、実施形態では、緩衝部材１８を設けたがこれを省き、載置台１０の剛性を調節して、載置台１０を入力装置使用姿勢Ａとしたときに衝撃が生じた場合に、載置台１０の弾性（剛性）に依る撓みによって衝撃を吸収するよう構成することも可能である。このとき、載置台１０の撓みは隙間１７によって許容されるよう構成する。
【００３２】
さらに、上記実施形態では、第一横軸と第二横軸とを別々に設けて、且つ上カバーと載置台とを別々に開閉可能なように構成したがこれに限定されるものではなく、上カバーと載置台とを連動して一体的に開閉するよう構成することも可能である。
【図面の簡単な説明】
【００３３】
【図１】本発明の実施形態を示す薬剤分包装置の要部を示す概略側面図
【図２】同じく正面側からの概略斜視図
【図３】同じく要部の詳細を示す前上方からの斜視図
【図４】同じく後上方からの斜視図
【符号の説明】
【００３４】
１…分包装置本体、２…下台、３…上カバー、４…第一横軸、５…パーソナルコンピュータ、５Ａ…本体、６…背板、７…取付部、８…第二横軸部材、１０…載置台、１１…保持体、１２…ステー部材、１３…アーム部、１４…上面、１５…保持体本体、１６…下面、１７…隙間、１８…緩衝部材、２０…垂下板部、２１…当接板部、２２…連設板部、２３，２４…羽根、Ａ…入力装置使用姿勢、Ｂ…入力装置非使用姿勢、Ｃ…開姿勢、Ｄ…閉姿勢
【図１】
0004949177.tif 000002
【図２】
0004949177.tif 000003
【図３】
0004949177.tif 000004
【図４】
0004949177.tif 000005